(57)【特許請求の範囲】
【請求項１】
浴室内の空気を屋外に排気する換気用ファンと、浴室内の空気を循環する循環用ファンと、この循環用ファンの吐き出し側流路の空気吹き出し口に設けられるハロゲンヒーターと、このハロゲンヒーターの輻射光が浴室内に向かい反射されるように前記ハロゲンヒーターの後方に設けられる反射板とを設けた浴室の天井等に設置される本体を備え、前記循環用ファンによって送風される浴室内の空気が前記吹き出し口の側方を通って前記反射板の上方側と下方側に分離される構成とし、前記反射板に、前記上方側に分離される空気が前記反射板の後面側から前面側に向かい流通するスリットを設けたバス換気乾燥機。
【請求項２】
反射板に形成されるスリットの周縁に反射板の前面より突出する空気流の整流部を設けた請求項１記載のバス換気乾燥機。
【請求項３】
反射板に形成されるスリットの周縁の一部に反射板の後面より突出する空気流の誘引部を設けた請求項１または２記載のバス換気乾燥機。
【請求項４】
本体を形成する天板および側板と反射板との間に通風路を形成する遮熱板を設けた請求項１、２または３記載のバス換気乾燥機。
【請求項５】
遮熱板の一部に貫通孔を設け、前記貫通孔に対向する天板等の本体部分に温度過昇防止装置を設ける構成とした請求項４記載のバス換気乾燥機。
【請求項６】
浴室内に設けた浴槽のほぼ上方の天井に配設される本体に設けたハロゲンヒーターからの照射光が、前記浴槽側に照射されないように前記ハロゲンヒーターの前方に遮光板を設けた請求項１、２、３、４または５記載のバス換気乾燥機。
【請求項７】
反射板に設けたスリットを通った空気流が広がるように遮光板の断面形状を形成した請求項６記載のバス換気乾燥機。
【請求項８】
平板を傾斜して遮光板を形成した請求項６記載のバス換気乾燥機。
【請求項９】
本体の下方を覆うように設けられるルーバーの吹出口に浴室の中央部寄りに向かい風向が変わるように傾斜した風向板を設けた請求項１、２、３、４、５または６記載のバス換気乾燥機。
【発明の詳細な説明】
【０００１】
【発明の属する技術分野】
本発明は、浴室内の湿気の排気および浴室内に吊り下げられた洗濯物等の被乾燥物の乾燥、または浴室内の暖房を行うことができるバス換気乾燥機に関する。
【０００２】
【従来の技術】
近年、一般家庭における浴室の設置が多くなるに伴い、浴室を利用して洗濯物を乾燥させる乾燥機能を有したバス換気乾燥機が普及してきている。
【０００３】
従来、この種のバス換気乾燥機の一例として図１２〜図１４に示されるものが開発されていた。以下、その構成について図１２〜図１４を参照しながら説明する。
【０００４】
図に示すように、浴室１０１の天井面に設置される箱状で、側面に屋外に連通する排気口１０２を有し、下面には換気用吸込口１０３と循環用吸込口１０４および、吹き出し口１０５が設けられる本体１０６を設け、本体１０６の換気用吸込口１０３と排気口１０２を連通した空気流路内に換気用ファン１０７を設け、循環用吸込口１０４と吹き出し口１０５を連通した空気流路内に循環用ファン１０８を設け、循環用ファン１０８の吹き出し気流は、吹き出し口１０５の長手方向に流れるように斜め方向より吹き出されて、吹き出し口１０５より浴室１０１１内に送風されるように設け、吹き出し口１０５には浴室１０１に向かい熱放射するように、反射板１０９を設けたハロゲンヒーター１１０を設け構成していた。
【０００５】
【発明が解決しようとする課題】
このような従来のバス換気乾燥機によれば、吹き出し口１０５から浴室１０１内に吹き出される風向が循環用ファン１０８から吹き出し口１０５に向かい送風される吹き出し方向に偏向するため、横方向に風が流れ、その結果、吹き出し風速および温度が不均一となって衣類乾燥時間が長くなるという課題があった。
【０００６】
また、ハロゲンヒーター１０９は、管内に不活性ガスとともに微量のハロゲン元素を封入し、温度条件を適正にすることにより管内で蒸発したタングステンを元のフイラメントに戻すというハロゲンサイクルを起こすもので、フイラメントから蒸発したタングステンは、不活性ガス中を浮遊しながら比較的低温部に移動し、ここでハロゲンとタングステンが化合し、ハロゲン化タングステンが形成され、かなり蒸発しやすい物質となり、管内が２５０度℃以上であれば沈澱することなくガス状態を保ち、管内を浮遊し続け、このガス状ハロゲン化タングステンがフイラメントに近づくと、１５００〜２０００℃まで昇温し、高温のためハロゲンとタングステンが分離し、分離したタングステンは再びフイラメントに付着する。
【０００７】
一方、分離したハロゲンは再び蒸発してきたタングステンと化合してハロゲンサイクルが形成される。
【０００８】
従って、ハロゲンヒーター１０９の管表面の温度が不均一となった場合には、管の内部に封入されたハロゲンガスの温度も不均一となって、ハロゲンサイクルが管表面に均一に起きにくくなる。また、部分的に温度が低くなりすぎて、ハロゲンサイクルが起きなくなり、フイラメントの酸化が部分的に進行し、フイラメントの寿命が短くなることにより、ハロゲンヒーター１０９の寿命が短くなるという課題があった。
【０００９】
また、ハロゲンヒーター１０９の管全体に十分に風が行き届かないため、ハロゲンヒーター１０９の熱を十分に利用することができず、熱効率が悪いという課題があった。
【００１０】
また、ハロゲンヒーター１０９は、フイラメントの温度が高く輻射熱も多いが輝度が高く、特に浴槽１１１に入湯した人はリラックスして天井を仰ぎ見ることがあり、そのときにまぶしさ感を強く感じることにより、入浴者に不快感を与えるという課題があった。
【００１１】
本発明は、上記課題を解決するもので、衣類乾燥時間の短縮を図るとともに、熱効率を良くすることができ、また、入浴者にまぶしさ感を与えないバス換気乾燥機を提供することを目的とする。
【００１２】
【課題を解決するための手段】
本発明のバス換気乾燥機においては、浴室内の空気を屋外に排気する換気用ファンと、浴室内の空気を循環する循環用ファンと、この循環用ファンの吐き出し側流路の空気吹き出し口に設けられるハロゲンヒーターと、このハロゲンヒーターの輻射光が浴室内に向かい反射されるように前記ハロゲンヒーターの後方に設けられる反射板とを設けた浴室の天井等に設置される本体を備え、前記反射板に、反射板の後面側から前面側に向かい空気が流通するスリットを設けた構成としたものである。
【００１３】
この本発明によれば、衣類乾燥時間の短縮を図ることができる熱効率の良いバス換気乾燥機を提供することができる。
【００１４】
【発明の実施の形態】
本発明の請求項１に記載の発明は、浴室内の空気を屋外に排気する換気用ファンと、浴室内の空気を循環する循環用ファンと、この循環用ファンの吐き出し側流路の空気吹き出し口に設けられるハロゲンヒーターと、このハロゲンヒーターの輻射光が浴室内に向かい反射されるように前記ハロゲンヒーターの後方に設けられる反射板とを設けた浴室の天井等に設置される本体を備え、前記循環用ファンによって送風される浴室内の空気が前記吹き出し口の側方を通って前記反射板の上方側と下方側に分離される構成とし、前記反射板に、前記上方側に分離される空気が前記反射板の後面側から前面側に向かい流通するスリットを設けることにより、循環ファンから送風されて、吹き出し口の側方を通って反射板の下方側へ送られた空気は、反射板の上方側に送風されて反射板の後方側からスリットを通って吹き出し口に向かい吹き出される風速により誘引されて、スムースに吹き出し口へ流れ吹き出し口より浴室内に送風されることとなり、空気吹き出し口に配列されているハロゲンヒーターに均一的に送風され、衣類乾燥時の乾燥時間の短縮および、熱効率の向上を図ることができるという作用を有する。
【００１５】
以下、本発明の実施の形態について図１〜図１１を参照しながら説明する。
【００１６】
（実施の形態１）
図１および図２に示すように、浴室１の天井面に設置される箱状で、側面に屋外に連通する排気口２を有し、下面には換気用吸込口３と循環用吸込口４および、吹き出し口５が設けられる本体６を設け、本体６の換気用吸込口３と排気口２を連通した空気流路内に換気用ファン７を設け、循環用吸込口４と吹き出し口５を連通した空気流路内に循環用ファン８を設け、循環用ファン８の吹き出し気流は吹き出し口５の長手方向に流れるように、斜め方向に向かい吹き出し口５の側方に吹き出されるように設け、吹き出し口５には吹き出し口５の長手方向にハロゲンヒーター９を配列し、ハロゲンヒーター９の後方には反射板１０を設け、反射板１０には後面側から前面側に向かい空気が流通するスリット１１を設け構成する。
【００１７】
上記構成において、衣類の乾燥に使用するためバス換気乾燥機を運転すると、循環用吸込口４から浴室１内の空気が循環用ファン８によって吸い込まれ、循環用ファン８から吹き出し口５の側方を通って反射板１０の上方側と下方側に分離され、反射板１０の上方側に送風された空気は、反射板１０の後方側からスリット１１を通って反射板１０の前方側に送られ、ハロゲンヒーター９により加熱されて温風となり、吹き出し口５から浴室１内に向かい送風される。このとき、循環用ファン８により反射板１０の下方側に送られた空気は、ハロゲンヒーター９により加熱されて温風となるとともに、反射板１０のスリット１１を通り吹き出し口５に向かい吹き出される風速により誘引されて、吹き出し口５側に向かう空気流が形成され、全体的に循環用ファン８から吹き出し口５の側方に送られた空気、はスムーズに吹き出し口５側に流れることとなり、ハロゲンヒーター９にほぼ均一に空気流が接触してハロゲンヒーター９による熱交換効率が良くなることとなる。
【００１８】
このように本発明の実施の形態１のバス換気乾燥機によれば、ハロゲンヒーター９の後方に設けられる反射板１０に、反射板１０の後面側から前面側に向かい空気が流通するスリット１１を設けたので、循環用ファン８から送り出され、吹き出し口５の側方方向から送風された空気が反射板１０に設けた各スリット１１に分離され、スリット１１を通り吹き出し口５側に風向が変換され、スリット１１により風速および、温風温度が均一となって、衣類乾燥時間の短縮が図られる。また、ハロゲンヒーター９の管の表面温度が均一となり、ハロゲンヒーター９の長寿命化が可能となるとともに、スリット１１から吹き出された空気が、ハロゲンヒーター９の管の表面全体に十分に接触するため、ハロゲンヒーター９の熱を十分に利用することができ、熱交換効率が良くなり暖房効率も高められることとなる。
【００１９】
（実施の形態２）
図３に示すように、反射板１０Ａに形成されるスリット１１Ａの周縁に反射板１０Ａの前面より突出する空気流の整流部１２を設け構成する。
【００２０】
上記構成において、反射板１０Ａの後方側に送られた空気は、反射板１０Ａの後面側より前面側に向かいスリット１１Ａ内を流れる。このとき、スリット１１Ａの周縁に反射板１０Ａの前面より突出するように設けた整流部１２により、空気流が拡散されることなく集中してハロゲンヒーター９に向かい送られることとなり、反射板１０Ａの前面側への空気流の成分が増加されることとなる。
【００２１】
このように本発明の実施の形態２のバス換気乾燥機によれば、反射板１０Ａに設けられるスリット１１Ａの周縁に整流部１２を設けたので、スリット１１Ａ内を通る空気流は前方に集中されるように整流され、風の抵抗を下げ、騒音の低下が可能となるとともに、スリット１１Ａの周縁部分の強度を向上することができる。
【００２２】
（実施の形態３）
図４に示すように、反射板１０Ｂに形成されるスリット１１Ｂの周縁の一部に、反射板１０Ｂの後面より突出する空気流の誘引部１３を設け構成する。
【００２３】
上記構成において、反射板１０Ｂの後方側に送られた空気は、反射板１０Ｂの後面側に突出した誘引部１３により受け止められ、スリット１１Ｂ内に誘引されて、反射板１０Ｂの前面よりハロゲンヒーター９に向かい流れることとなる。
【００２４】
このように本発明の実施の形態３のバス換気乾燥機によれば、反射板１０Ｂに設けられるスリット１１Ｂの周縁の一部に、スリット１１Ｂに空気を誘引する誘引部１３を設けたので、反射板１０Ｂの後方に送られた循環風が、誘引部１３によりスリット１１Ｂ内に誘引されることとなり、スリット１１Ｂを介して反射板１０Ｂの前方に送られる空気流の前方方向への成分を増加させることができ、ハロゲンヒーター９との熱交換効率が向上するとともに、騒音を低下することが可能となる。また、スリット１１Ｂの周縁部分の強度も向上させることができる。
【００２５】
（実施の形態４）
図５に示されるように、本体６Ａの天板６ａおよび側板６ｂにより形成される空間部分となる本体６Ａと反射板１０との間に、天板６ａおよび側板６ｂに対向する円弧状の遮熱板１４を設け、遮熱板１４と本体６Ａ間に通風路１５を形成し構成する。
【００２６】
上記構成において、循環用ファン８により吹き出し口５に送風される循環風は、反射板１０の下面側と上面側および遮熱板１４の上面側に形成された通風路１５に流れ、ハロゲンヒーター９の熱により温度上昇した反射板１０の上面側から本体６Ａの天板６ａおよび側板６ｂに放射される熱が遮熱板１４により遮熱されるとともに、遮熱板１４の上方に形成される通風路１５に流れる空気流により本体６Ａの温度上昇が緩和されることとなる。
【００２７】
このように本発明の実施の形態４のバス換気乾燥機によれば、本体６Ａを形成する天板６ａおよび側板６ｂと反射板１０との間に通風路１５を形成する遮熱板１４を設けたので、ハロゲンヒーター９により温度上昇した反射板１０の熱が遮熱板１４により遮熱されるとともに、通風路１５を通る空気流により天板６ａおよび側板６ｂの温度上昇が緩和され安全性が高められる。
【００２８】
（実施の形態５）
図６に示すように、遮熱板１４Ａの一部に貫通孔１６を設け、貫通孔１６に対向する天板６ａ等の本体部分に、温度過昇防止装置１７を設け構成する。
【００２９】
上記構成において、通常の運転時には、循環用ファン８より吹き出し口５に送風される循環風は、反射板１０の下面側と上面側および遮熱板１４Ａの上面側に形成された通風路１５を流れ、ハロゲンヒーター９の熱により温度上昇した反射板１０の上面側から本体６Ａの天板６ａおよび側板６ｂに放射される熱が遮熱板１４Ａにより遮熱されるとともに、遮熱板１４Ａの上方に形成される通風路１５に流れる空気流により本体６Ａの温度上昇が緩和されることとなる。
【００３０】
そして、循環用ファン８の停止や、異物付着などによる風量低下を生じた異常時には、ハロゲンヒーター９の熱を受けて温度上昇した反射板１０の熱が、遮熱板１４Ａにより温度上昇が緩和されるが、通風路１５を通る空気流が減少しているため、遮熱板１４Ａに設けた貫通孔１６より天板６ａに向かい反射板１０の熱が放熱され、天板６ａに設けた温度過昇防止装置１７がすみやかに作動して運転が停止され、ハロゲンヒーター９への通電も断たれて天板６ａが異常温度に上昇するのがすみやかに解除されることとなる。
【００３１】
このように本発明の実施の形態５のバス換気乾燥機によれば、遮熱板１４Ａの一部に貫通孔１６を設け、貫通孔１６に対向する天板６ａ等の本体部分に温度過昇防止装置１７を設けたので、通常運転時には遮熱板１４Ａにより天板６ａ等の本体部分の異常な温度上昇が緩和され、循環用ファン８の停止および風量低下等の異常時には、遮熱板１４Ａに設けた貫通孔１６から天板６ａに向け放熱され、天板６ａに設けた温度過昇防止装置１７が作動し、すみやかにバス換気乾燥機の運転が停止され、製品の安全性が高められる。
【００３２】
（実施の形態６）
図７および図８に示すように、浴室１内の洗い場１８に隣接して設けられる浴槽１９のほぼ上方の天井に配設される本体６Ｂに設けたハロゲンヒーター９からの照射光が浴槽１９側に照射されないように、ハロゲンヒーター９の前方に、断面が平坦状に近い山形状の遮光板２０を設けた構成とする。
【００３３】
上記構成において、ハロゲンヒーター９から照射される照射光はハロゲンヒーター９の前方に設けた遮光板２０により浴槽１９側の真下に照射される真下照射光（Ａ）が遮光されることとなる。
【００３４】
そして、浴槽１９に隣接する洗い場１８には、ハロゲンヒーター９の輻射光（Ｂ）が照射されることとなる。
【００３５】
このように本発明の実施の形態６のバス換気乾燥機によれば、浴室１内に設けた浴槽１９のほぼ上方の天井に配設される本体６Ｂに設けたハロゲンヒーター９からの照射光が浴槽１９側に照射されないように、ハロゲンヒーター９の前方に遮光板２０を設けたので、ハロゲンヒーター９から浴槽１９の真下に向かい照射される真下照射光（Ａ）が遮光板２０により遮光されることとなり、浴槽１９に入湯中の入浴者にハロゲンヒーター９の輝度の高い照射光が目に入りまぶしくなるのが防止される。そして、洗い場１８にはハロゲンヒーター９の輻射光（Ｂ）が照射され、暖房が行われる。
【００３６】
（実施の形態７）
図９に示すように、反射板１０に設けたスリット１１を通った空気流が広がるように、遮光板２０Ａの断面形状を半円状または山形状または放物断面等に形成し構成する。
【００３７】
上記構成において、ハロゲンヒーター９から照射される照射光は、ハロゲンヒーター９の前方に設けた遮光板２０Ａにより、浴槽（図示せず）側の真下に照射される真下照射光（Ａ）が遮光され、洗い場（図示せず）側にハロゲンヒーター９の輻射光（Ｂ）が照射されることとなる。
【００３８】
そして、反射板１０に設けたスリット１１を通りハロゲンヒーター９により加熱された温風は、ハロゲンヒーター９の前方に設けた遮光板２０Ａに沿い広がるように流れ浴室１側に送風される。
【００３９】
このように本発明の実施の形態７のバス換気乾燥機によれば、遮光板２０Ａの断面形状を半円状または山形状または放物断面等に形成したので、反射板１０のスリット１１を通った空気流に対する抵抗が緩和され、騒音を減少することができる。
【００４０】
（実施の形態８）
図１０に示すように、ハロゲンヒーター９の前方に設けられる遮光板２０Ｂを、平板状として傾斜させ構成する。
【００４１】
上記構成において、ハロゲンヒーター９から照射される照射光は、ハロゲンヒータ９の前方に設けた遮光板２０Ｂにより、浴槽（図示せず）側の真下に照射される直下照射光（Ａ）が遮光され、洗い場（図示せず）側にハロゲンヒーター９の輻射光（Ｂ）が照射されることとなる。
【００４２】
そして、反射板１０に設けたスリット１１を通りハロゲンヒーター９により加熱された温風は、ハロゲンヒーター９の前方に傾斜した平板状の遮光板２０Ｂにより洗い場側に向け送風される。
【００４３】
このように本発明の実施の形態８のバス換気乾燥機によれば、遮光板２０Ｂを、平板を傾斜して形成しているので、遮光板２０Ｂに向かい送風される空気流に対する抵抗が少なくなり、遮光板２０Ｂによる騒音をほとんど無くすることができる。
【００４４】
（実施の形態９）
図１１に示すように、本体６Ｂの下方を覆うように設けられるルーバー２１の吹出口に、浴室１の中央部寄りとなる洗い場（図示せず）に風向が変わるように傾斜した風向板２２を設けた構成とする。
【００４５】
上記構成において、反射板１０に設けたスリット１１を通りハロゲンヒーター９に加熱された温風は、ハロゲンヒーター９の前方においてハロゲンヒーター９に沿い広がり、ルーバー２１の風向板２２により浴室１の中央部寄りに傾いた状態で送風され、浴室１内に吊り下げた衣類（図示せず）に斜め方向より接触し、衣類の乾燥時間が短縮される。
【００４６】
このように本発明の実施の形態９のバス換気乾燥機によれば、ルーバー２１の吹出口に、浴室１の中央部寄りに向かい風向が変わるように傾斜した風向板２２を設けたので、浴室１に吊り下げられた衣類の乾燥時に、ルーバー２１の風向板２２により斜め方向から衣類に温風が送風され接触することとなり、衣類との接触度合が高まり衣類の乾燥時間を短縮することができる。
【００４７】
【発明の効果】
以上の実施例から明らかなように、本発明によれば、  浴室内の空気を屋外に排気する換気用ファンと、浴室内の空気を循環する循環用ファンと、この循環用ファンの吐き出し側流路の空気吹き出し口に設けられるハロゲンヒーターと、このハロゲンヒーターの輻射光が浴室内に向かい反射されるように前記ハロゲンヒーターの後方に設けられる反射板とを設けた浴室の天井等に設置される本体を備え、前記循環用ファンによって送風される浴室内の空気が前記吹き出し口の側方を通って前記反射板の上方側と下方側に分離される構成とし、前記反射板に、前記上方側に分離される空気が前記反射板の後面側から前面側に向かい流通するスリットを設けたので、吹き出し口の側方を通って反射板の下方側へ送られた空気は、反射板の上方側に送風されて反射板の後方側からスリットを通って吹き出し口に向かい吹き出される風速により誘引されて、スムースに吹き出し口へ流れることとなり、吹き出し風速および温風温度が均一となって衣類乾燥時間を短縮することができ、また、ヒーター管表面の温度も均一となりハロゲンヒーターの長寿命化が可能となるとともに、スリットから吹き出された風がヒーター管全体に十分に当たり、ハロゲンヒーターの熱を十分に利用することができ、衣類乾燥時間の短縮や熱効率の向上が図れるバス換気乾燥機を提供できる。
【００４８】
また、反射板に形成されるスリットの周縁に、反射板の前面より突出する空気流の整流部を設けたので、スリットを通る風の抵抗を下げ、前方方向への成分を増加させるとともに騒音を低下させることができ、また、スリットの強度を増加させることができる。
【００４９】
また、反射板に形成されるスリットの周縁の一部、に反射板の後面より突出する空気流の誘引部を設けたので、風をより大量にスリット内に導入することができ、前方方向への成分を増加させるとともに、騒音を低下させることができる。
【００５０】
また、本体を形成する天板および側板と反射板との間に通風路を形成する遮熱板を設けたので、本体の温度上昇を防止することができる。
【００５１】
また、遮熱板の一部に貫通孔を設け、前記貫通孔に対向する天板等の本体部分に温度過昇防止装置を設けたので、ファン停止や異物付着などの風量低下といった異常時に、温度過昇防止装置近傍の温度上昇が急速になり、すみやかに異常を検知することとなって、温度過昇防止装置の動作が確実に、かつ早くなり、製品の安全性を高めることができる。
【００５２】
また、浴室内に設けた浴槽のほぼ上方の天井に配設される本体に設けたハロゲンヒーターからの照射光が、前記浴槽側に照射されないように、前記ハロゲンヒーターの前方に遮光板を設けたので、ハロゲンヒーターの直下方向に対してのみ遮光することとなり、浴槽の入浴者に対しては、まぶしさ感を低下でき、本来暖房すべき洗い場の入浴者に対しては、十分に輻射熱を供給することができ、輻射暖房性能を低下させることがない。
【００５３】
また、反射板に設けたスリットを通った空気流が広がるように遮光板の断面形状を形成したので、空気流の抵抗を減少し、騒音を低減することができる。
【００５４】
また、平板を傾斜して遮光板を形成したので、空気流の抵抗をさらに減少し、騒音を低減することができる。
【００５５】
また、本体の下方を覆うように設けられるルーバーの吹出口に、浴室の中央部寄りに向かい風向が変わるように傾斜した風向板を設けたので、空気流の抵抗を減少するとともに、浴室に吊り下げた衣類に風がよく当たるようになり、乾燥時間を短縮することができる。
【図面の簡単な説明】
【図１】本発明の実施の形態１のバス換気乾燥機の構成を示す断面図
【図２】同バス換気乾燥機の一部破断した下面図
【図３】本発明の実施の形態２のバス換気乾燥機の反射板の構成を示す断面図
【図４】本発明の実施の形態３のバス換気乾燥機の反射板の構成を示す断面図
【図５】本発明の実施の形態４のバス換気乾燥機の構成を示す断面図
【図６】本発明の実施の形態５のバス換気乾燥機の構成を示す断面図
【図７】本発明の実施の形態６のバス換気乾燥機の構成を示す断面図
【図８】同バス換気乾燥機の設置状態を示す浴室の概略図
【図９】本発明の実施の形態７のバス換気乾燥機の構成を示す断面図
【図１０】本発明の実施の形態８のバス換気乾燥機の構成を示す断面図
【図１１】本発明の実施の形態９のバス換気乾燥機の構成を示す断面図
【図１２】従来のバス換気乾燥機の一部破断した下面図
【図１３】同バス換気乾燥機の構成を示す断面図
【図１４】同バス換気乾燥機の設置状態を示す浴室の概略図
【符号の説明】
１      浴室
５      吹き出し口
６      本体
６Ａ    本体
６Ｂ    本体
６ａ    天板
６ｂ    側板
７      換気用ファン
８      循環用ファン
９      ハロゲンヒーター
１０    反射板
１０Ａ  反射板
１０Ｂ  反射板
１１    スリット
１１Ａ  スリット
１１Ｂ  スリット
１２    整流部
１３    誘引部
１４    遮熱板
１４Ａ  遮熱板
１５    通風路
１６    貫通孔
１７    温度過昇防止装置
１９    浴槽
２０    遮光板
２０Ａ  遮光板
２０Ｂ  遮光板
２１    ルーバー
２２    風向板
【図１】
0003886288.tif 000002
【図２】
0003886288.tif 000003
【図３】
0003886288.tif 000004
【図４】
0003886288.tif 000005
【図５】
0003886288.tif 000006
【図６】
0003886288.tif 000007
【図７】
0003886288.tif 000008
【図８】
0003886288.tif 000009
【図９】
0003886288.tif 000010
【図１０】
0003886288.tif 000011
【図１１】
0003886288.tif 000012
【図１２】
0003886288.tif 000013
【図１３】
0003886288.tif 000014
【図１４】
0003886288.tif 000015